(57)【要約】【課題】本発明は、非接触個人識別タグを用いた遊技機用セキュリティシステムにおいて、個人識別情報等の盗難、漏洩、変造を防止し、不正行為に対する監視、防止機能を備え、使い勝手のよい優れた遊技機用セキュリティシステムを提供することを課題とする。【解決手段】ホストコンピュータ（２）により、非接触個人識別タグ（１）内のデータとホストコンピュータ（２）内のデータを照合して、認証を行ない、前記非接触個人識別タグ（１）に強度の高い暗号化によるデータ書込みを行なうことにより、非接触個人識別タグ（１）の変造等を防止するとともに、配電部扉（３１）の不正開放を防止する機構を備え、更には経営者宛に電子メールの送信機能をも備えた遊技機用セキュリティシステムの提供を解決手段とする。【選択図】        図１
2004337428.tif 000002
【特許請求の範囲】
【請求項１】
非接触個人識別タグと、ホストコンピュータと、遊技機と、該遊技機が設置される島とからなり、非接触個人識別タグは、不揮発性且つ全てのデータを書換可能なメモリを備えるとともに個人識別情報を格納し、遊技機は、該遊技機の配電部扉の開閉を検知する扉開放検出手段と、前記遊技機配電部扉の扉施錠手段と、遊技状況を得るための遊技状況検知センサとを備え、遊技機若しくは島には、配電部扉の制御に係る制御装置と、非接触個人識別タグにおけるメモリに格納された識別情報を読取り及び書換え可能な非接触リーダライタ装置とを設け、ホストコンピュータ内の外部記憶装置には、非接触個人識別タグの個人識別情報との照合用の個人識別情報を格納し、不正行為検出時には、個人識別情報、配電部扉の開放時刻をホストコンピュータに記録する遊戯用セキュリティシステムにおいて、
非接触個人識別タグ（１）は、個人識別情報及び該個人識別情報の正当性を示す複製データを、暗号化して格納し、
制御装置（５）は、識別情報アクセス装置から得られる非接触個人識別タグ（１）の個人識別情報をホストコンピュータ（２）に送信するとともに、ホストコンピュータ（２）からの扉開放信号を受けて扉施錠手段（３２）を解錠し、
ホストコンピュータ（２）は、非接触個人識別タグ（１）から得られる暗号化データを復号化し、復号化された個人識別情報の正当性を示すデータとホストコンピュータ（２）内の複製元のデータとを照合してデータの正当性を識別し、扉開放検出手段（３０）から送信される扉開放信号と、前記複合化された個人識別情報と、ホストコンピュータ（２）内に蓄積された個人識別情報リストとを照合して認証作業を行ない、一致した場合には、ホストコンピュータ（２）から制御装置（５）へ扉開放命令信号を送信して、当該扉開放命令信号を受信した制御装置（５）が配電部扉（３１）を開放するものとし、
扉開放検出手段（３０）から送信される扉開放信号によって得られホストコンピュータ（２）内に蓄積される配電部扉（３１）の開放時刻と、遊技状況検知センサ（３３）によって得られホストコンピュータ（２）内に蓄積される入賞時刻とを対照して、不正行為を行なった可能性の高い個人及び遊戯機の特定を行なうものとしたことを特徴とする遊戯用セキュリティシステム。
【請求項２】
ホストコンピュータ（２）は、暗号化した個人識別情報の更新データを非接触リーダライタ装置（６）へ送信し、該非接触リーダライタ装置（６）によって、非接触個人識別タグ（１）の暗号化された個人識別情報を更新することを特徴とする請求項１記載の遊技機用セキュリティシステム。
【請求項３】
ホストコンピュータ（２）は経営者宛の電子メール送信機能と、外部への電気通信回線を備え、ホストコンピュータ（２）は、当該ホストコンピュータ（２）に記録された扉開放に関するデータを、経営者宛に電子メールによって送信可能としたことを特徴とする請求項１又は２記載の遊技機用セキュリティシステム。
【請求項４】
ホストコンピュータ（２）は、当該ホストコンピュータ（２）に接続されるハードウェアライセンスキーにより、認証を得た場合にのみ利用できるものとしたことを特徴とする請求項１、２、３記載の遊戯機用セキュリティシステム。
【請求項５】
ホストコンピュータ（２）は、個人毎に解錠権限を許可する期間、時間帯を定める解錠権限付与データを格納し、ホストコンピュータ（２）が非接触個人識別タグ（１）から得た個人識別情報と、ホストコンピュータ（２）が有する年月日、時刻、解錠権限付与データとを対照し、当該個人に与えられた解錠権限付与期間及び時間帯内であることを確認した場合にのみ、ホストコンピュータ（２）から制御装置（５）へ扉開放命令信号を送信して、当該扉開放命令信号を受信した制御装置（５）が配電部扉（３１）を開放することを特徴とする請求項１、２、３又は４記載の遊技機用セキュリティシステム。
【請求項６】
扉施錠手段（３２）は、遊技機（３）の配電部扉（３１）の裏面に設けたロック鉤爪（３７）と、該ロック鉤爪（３７）が掛止する遊技機掛止板（３６）と、電気制御手段によって起倒可能で、且つロック鉤爪（３７）の前記遊技機掛止板（３６）に対する離脱の可否を制御するロック部材（３８）とからなることを特徴とする請求項１、２、３、４又は５記載の遊技機用セキュリティシステム。
【請求項７】
扉開放検知手段は、遊技機（３）の配電部扉（３１）の裏面に一体として設けられ、且つ、幅寸法が異なる部分を有するスライド金具（３４）と、
前記スライド金具（３４）の幅寸法の差を検出することによって、扉の開閉を検知する扉開放検知センサと、閉扉方向にスライド金具（３４）を付勢する付勢手段を設けたことを特徴とする請求項１、２、３、４、、５又は６記載の遊技機用セキュリティシステム。
【請求項８】
ホストコンピュータ（２）は外部のネットワークと電気通信回線で接続し、外部のネットワークの端末から、ホストコンピュータ（２）の内容の閲覧及び／又はホストコンピュータ（２）の設定内容の変更、更新を可能としたことを特徴とする請求項１、２、３、４、５、６又は７記載の遊技機用セキュリティシステム。
【請求項９】
ホストコンピュータ（２）と監視カメラ（８）を接続し、ホストコンピュータ（２）が、非接触個人識別タグ（１）から得られる暗号化データを復号化し、個人識別情報の正当性を示すデータとホストコンピュータ（２）内の複製元のデータとを照合してデータの正当性を識別し、扉開放検出手段（３０）から送信される扉開放信号と、前記複合化された個人識別情報と、ホストコンピュータ（２）内に蓄積された個人識別情報リストとを照合して認証作業を行ない、一致しない場合に、ホストコンピュータ（２）に接続した監視カメラ（８）に対して、一致しなかった遊技機（３）を撮影するように動作する信号を送信することを特徴とする請求項１、２、３、４、５、６、７又は８記載の遊技機用セキュリティシステム。
【請求項１０】
制御装置（５）は前記扉施錠手段（３２）における電気制御手段に対して電源供給手段を連結し、電気制御手段が電源供給を遮断された場合に、扉の施錠状態を確保するロック部材（３８）を閉扉状態に維持する付勢手段を備えたことを特徴とする請求項６記載の遊技機用セキュリティシステム。
【発明の詳細な説明】
【０００１】
【発明が属する技術分野】
本発明は、パチンコホールにおいて設置されているパチンコ遊技機に対する不正手段を防止するための遊技機用セキュリティシステムに関するものである。
【０００２】
【従来の技術】
昨今、遊技機の配電部扉を開け、内蔵されている電子部品にぶら下げ基板等を取付ける等の改造を行なったり、予め準備された改造品（裏ＲＯＭ等）に交換することで、遊技機を正常でない状態として、不正に入賞を繰り返させるという極めて悪質な行為（以下、「不正行為」という。）が、非常に問題視されている。このような不正行為は、遊戯店の営業時間内に全く遊戯店と関係のない第三者が行なう場合よりも、店員が関わって行なわれる場合が非常に多い。
【０００３】
上記店員が関わって不正行為が行なわれる場合には、店員が遊技機の管理担当等であるというように、配電部扉の開閉の権限を有している場合があり、更には入念な犯行準備を行なうこともできることもあって、事態は非常に深刻である。
【０００４】
このような店員の関わる不正行為に対しては、店員個人の特定を可能とすることで、当該不正行為を防止することが、非常に有効である。そして、このような店員個人を特定する機能を備えたものとしては、例えば、扉を施錠する施錠装置を有するパチンコ遊戯台を設置したパチンコホールの防犯システムであって、送信器と、前記パチンコ遊戯台に設けた受信器と、ホストコンピュータとを備え、前記受信器と前記施錠装置及びホストコンピュータとを接続し、前記送信器に書換可能な鍵番号データ及び書換不能な鍵識別データを記憶させ、その送信器を操作して前記各データを前記受信器へ送信する送信手段と、前記受信器に鍵番号データ及び台番号データを記憶させその受信器により前記送信器から送信された前記錠番号データ及び台番号データを受信する受信手段と、前記受信器が、受信した鍵番号データと記憶さえれた錠番号データとを比較し、両データは一致していると判断した場合に前記施錠装置へ解錠信号を送信する解錠手段と、前記受信器から解錠信号が出力される際に前記受信器から鍵識別データを前記ホストコンピュータに送信する解錠データ送信手段と、前記受信器から送信された鍵識別データ及び台番号データと、それらのデータを受信した時刻を表す時刻データとを前記ホストコンピュータが記録する記録手段とを備えたパチンコホールの防犯システム（例えば、特許文献１参照。）や、
遊技機の透明板扉（本願における配電部扉とは異なる。）の開放を検出可能な一対の扉開放検出器を離れた位置で遊技機に取付けるとともに係員が持っている記録媒体の内容を認識可能な記録媒体認識装置を遊技機或は遊技機付近に設け、前記一対の扉開放検知手段からの信号と記録媒体認識装置からの信号を制御装置を介して管理し、制御装置は、記録媒体認識装置で記録媒体の内容を認識しない状態で前記一対の扉開放検知器から開放信号を受けたときには不正行為である旨の出力を行なうとともに、記録媒体認識装置で記録媒体の内容を認識した状態で前記一対の扉開放検出器から開放信号を受けたときには中央管理装置に確認行為の出力を行ない、この確認行為の出力を受けた中央管理装置は「パチンコ機の番号」、「透明板扉の開放時刻」、「係員番号」を記録することを特徴とする遊技機の管理装置（例えば、特許文献２参照。）が公知である。尚、前記特許文献２における「透明板扉」は遊技機前面の所謂ガラス扉であり、本願発明における、遊技機背面側において遊技機の回路基板を格納している遊技機扉とは異なる。
【０００５】
【特許文献１】
特許第２５７１５４５号公報
【特許文献２】
特開２００２−６６０９５号公報
【０００６】
【発明が解決しようとする課題】
しかしながら、特許文献１に開示されるパチンコホールの防犯システム及び特許文献２に開示される遊技機の管理装置のいずれにおいても、致命的な欠点があった。即ち、これらはいずれも制御装置（受信器）自体が、扉開放検知センサからの信号、店員等が所持する記録媒体からの個人識別情報等を参照して、不正行為か否かを判断し、その結果をホストコンピュータ等他の機器へ出力する構成を採っていることである。
【０００７】
当該制御装置はパチンコホール内の遊技機若しくはその近傍に設置されており、入退出管理等の徹底したセキュリティ管理を適用することが事実上不可能であり、また制御装置自体が防犯機能に深く関わるものであることから、極めて不正行為や盗難の標的となりやすい。
【０００８】
また、制御装置で検出して、不正記録をホストコンピュータで行なうという従来の構成においては、制御装置とホストコンピュータ間のケーブルの切断があると、不正記録をホストコンピュータに残すことができない欠点があった。
【０００９】
更に、特許文献１に開示されるような、店員が所持する送信器に書換可能な鍵番号データ及び書換不能な鍵識別データを記憶させる手段については、当該データの一部を改竄すること自体、不正行為を行なう者にとってはそれほど困難なことではないと考えられる一方、利用者が当該送信器を紛失した場合には、一般的な手段では再発行はほぼ不可能であり、送信器を追加する必要が生ずるが、この際に、全ての制御装置に対して鍵識別データ等を記憶させなければならず、非常に労力の大きい復旧作業が必要となる。
【００１０】
更に、制御装置の内容確認を制御装置で行なうと、制御装置の盗難及び盗難後の解析によって、個人識別情報等の照合するデータが全て漏洩することが考えられ、非常に危険である。また、当該データを暗号化した場合においても、同様に、制御装置の解析によって容易に暗号を破られる可能性が高い。
【００１１】
本発明は、以上の事情に鑑みてなされたものであり、非接触個人識別タグを用いた遊技機用セキュリティシステムにおいて、個人識別情報等の盗難、漏洩を防止し、データの正当性が確保でき、不正行為に対する監視機能に優れ、使い勝手のよい優れた遊技機用セキュリティシステムを提供することを、課題が解決しようとする手段とするものである。
【００１２】
【課題を解決するための手段】
本発明は、以上の事情に鑑みてなされたものであり、非接触個人識別タグと、ホストコンピュータと、遊技機と、該遊技機が設置される島とからなり、非接触個人識別タグは、不揮発性且つ全てのデータを書換可能なメモリを備えるとともに個人識別情報を格納し、遊技機は、該遊技機の配電部扉の開閉を検知する扉開放検出手段と、前記遊技機配電部扉の扉施錠手段と、遊技状況を得るための遊技状況検知センサとを備え、遊技機若しくは島には、配電部扉の制御に係る制御装置と、非接触個人識別タグにおけるメモリに格納された識別情報を読取り及び書換え可能な非接触リーダライタ装置とを設け、ホストコンピュータ内の外部記憶装置には、非接触個人識別タグの個人識別情報との照合用の個人識別情報を格納し、不正行為検出時には、個人識別情報、配電部扉の開放時刻をホストコンピュータに記録する遊戯用セキュリティシステムにおいて、非接触個人識別タグは、個人識別情報及び該個人識別情報の正当性を示す複製データを、暗号化して格納し、制御装置は、識別情報アクセス装置から得られる非接触個人識別タグの個人識別情報をホストコンピュータに送信するとともに、ホストコンピュータからの扉開放信号を受けて扉施錠手段を解錠し、ホストコンピュータは、非接触個人識別タグから得られる暗号化データを復号化し、個人識別情報の正当性を示すデータとホストコンピュータ内の複製元のデータとを照合してデータの正当性を識別し、扉開放検出手段から送信される扉開放信号と、前記複合化された個人識別情報と、ホストコンピュータ内に蓄積された個人識別情報リストとを照合して認証作業を行ない、一致した場合には、ホストコンピュータから制御装置へ扉開放命令信号を送信して、当該扉開放命令信号を受信した制御装置が配電部扉を開放するものとし、扉開放検出手段から送信される扉開放信号によって得られホストコンピュータ内に蓄積される配電部扉の開放時刻と、遊技状況検知センサによって得られホストコンピュータ内に蓄積される入賞時刻とを対照して、不正行為を行なった可能性の高い個人及び遊戯機の特定を行なうものとしたことを特徴とする遊戯用セキュリティシステムを、課題を解決するための手段とするものである。
【００１３】
【発明の効果】
本発明によれば、ホストコンピュータが、高速に制御装置の内容を読み取って非接触個人識別タグから得られる暗号化データを復号化し、個人識別情報の正当性を示すデータとホストコンピュータ内の複製元のデータとを照合してデータの正当性を識別し、扉開放検出手段から送信される扉開放信号と、前記複合化された個人識別情報と、ホストコンピュータ内に蓄積された個人識別情報リストとを照合して認証作業を行ない、一致した場合には、ホストコンピュータから制御装置へ扉開放命令信号を送信して、当該扉開放命令信号を受信した制御装置が扉を開放する構成として、パチンコホール内に複数設置されている制御装置に認証機能を使用しないことによって、制御装置が不正行為の標的となった場合でも、不正に認証を得ることを防止することができる。
【００１４】
また、同構成によって、処理能力に優れたホストコンピュータを使用して、個人識別情報の正当性の評価や暗号化及び復号化処理を行なうことができることから、システム全体に対する負荷を軽減することができるとともに、暗号強度の高い暗号化を行なうことができ、ＩＣカード自体のセキュリティを高めることができる。
【００１５】
更に、ホストコンピュータは、暗号化した個人識別情報の更新データを非接触リーダライタ装置へ送信し、該非接触リーダライタ装置によって、非接触個人識別タグの暗号化された個人識別情報を更新することによって、例えば、カード自体の有効、無効を切替える操作を簡単に行うことができ、店員個人別に対するホストコンピュータのアクセスコントロールを容易に行なうことができる。
【００１６】
ホストコンピュータは経営者宛の電子メール送信機能と、外部への電気通信回線を備え、ホストコンピュータに記録された扉開放に関するデータを、経営者宛に電子メールによって送信可能とすることによって、ホストコンピュータの経営者は、携帯電話等のモバイル端末や常時接続回線を利用した外部のコンピュータ等を使用してリアルタイムに不正行為の検知を知ることで、不正行為に対する対応を迅速化でき、不正行為による被害を低減することができるとともに、不正行為の有無の確認の為に頻繁に店内の遊技機をチェックする手間から開放されることとなる。
【００１７】
また、ホストコンピュータに対して外部から接続するハードウェアライセンスキー（所謂ドングル）により、認証を得た場合にのみホストコンピュータの設定の変更、更新などを可能とする構成とした場合には、当該ハードウェアライセンスキーの管理を、経営者が行なえば、よりセキュリティの高い環境を実現することができる。
【００１８】
更に、ホストコンピュータには、個人毎に解錠権限を付与する期間や時間帯を定める解錠権限付与データを格納し、ホストコンピュータが、非接触個人識別タグから得た個人識別情報と、ホストコンピュータが有する年月日及び時刻、解錠権限付与データとを対照し、当該個人に与えられた解錠権限付与期間及び時間帯内であることを確認した場合にのみ、ホストコンピュータから制御装置へ扉開放命令信号を送信して、当該扉開放命令信号を受信した制御装置が扉を開放する構成を付加することにより、店員個人に対して営業時間の間のみ等必要な場合にだけ、解錠権限を与えることができ、閉店時間等不必要な時間帯に非接触個人識別タグを実質的に無効化することができ、不正行為を行なう機会を低減することができる。
【００１９】
扉施錠手段は、遊技機の配電部扉裏面に設けたロック鉤爪と、該ロック鉤爪が掛止する遊技機掛止板と、電気制御手段によって起倒可能で、且つロック鉤爪の前記遊技機掛止板に対する離脱の可否を制御するロック部材とからなるものとしたことにより、物理的な鍵と比べて強固であるとともに、更にロック部材の傾倒、ロック鉤爪の下降操作を行なわなければ扉を開放することができず、扉施錠手段に対する不正行為を困難なものとすることができる。
【００２０】
扉開放検知手段は、遊技機の配電部扉裏面に一体として設けられ、且つ、幅寸法が異なる部分を有するスライド金具と、前記スライド金具の幅寸法の差を検出することによって、扉の開閉を検知する扉開放検知センサと、閉扉方向にスライド金具を付勢する付勢手段を設けた場合には、簡易で且つ不正に対する防御力の高い構造で、速やかにホストコンピュータに対して配電部扉の開放信号を送信することができる。
【００２１】
そして、前記扉施錠手段と扉開放検知手段とを併用することにより、ソレノイドが扉開放信号を出さずに、扉開放検知手段が扉の開放を検知するという組合せを、ホストコンピュータが認識した場合には、ホストコンピュータは、電子メールのアプリケーションに対して経営者宛の電子メールの送信処理を行なわせ、或いは、ホストコンピュータに接続され且つパチンコホール内に設置される警報器に対して、警報音出力命令を送信することができる。尚、本発明における「経営者」とは、経営を指揮統括する者やその者から経営の一部について授権を得た者は勿論、経営者の指揮の元で不正行為の防止、摘発等を行なう者を含む趣旨である。
【００２２】
一方、ホストコンピュータは外部のネットワークと電気通信回線で接続し、外部のネットワークの端末から、ホストコンピュータの内容の閲覧及び／又はホストコンピュータの設定内容の変更、更新を可能とする構成を付加した場合においては、不正行為に対するホストコンピュータの設定の見直し等の対応をより迅速に行なうことができる。
【００２３】
また、ホストコンピュータと監視カメラを接続し、ホストコンピュータが、非接触個人識別タグから得られる暗号化データを復号化し、個人識別情報の正当性を示すデータとホストコンピュータ内の複製元のデータとを照合してデータの正当性を識別し、扉開放検出手段から送信される扉開放信号と、前記複合化された個人識別情報と、ホストコンピュータ内に蓄積された個人識別情報リストとを照合して認証作業を行ない、一致しない場合に、ホストコンピュータに接続した監視カメラに対して、一致しなかった遊技機を撮影するように動作する信号を送信する構成を付加した場合には、監視カメラの制御がホストコンピュータで行なわれていることによって、監視カメラの制御における不正行為を行なうことが非常に困難となり、セキュリティの向上を図ることができる。
【００２４】
更に、制御装置は前記扉施錠手段に対して電源供給手段を連結し、扉施錠手段が電源供給を遮断された場合に、扉の施錠部材であるロック部材をロック状態に維持する付勢手段を備えた構成としたことにより、扉施錠手段が電源供給を遮断された場合であっても、扉の施錠を確保することができ、安全性を向上させることができる。
【００２５】
また、ホストコンピュータが、制御装置が認識できないことを検知する手段を備えることによって、制御装置とホストコンピュータ間のケーブルの切断がなされた場合においても、ホストコンピュータが警報器に対して警報音を出力命令を即座に送信して、警報器によって不正行為を知らせるとともに、不正記録を当該ホストコンピュータに残すことができる。
【００２６】
【発明の実施の形態及び実施例】
図１は本発明の実施例に係る遊技機用セキュリティシステムの全体構成を示す説明図、図２は同実施例に係る遊技機用セキュリティシステムにおける扉開放検出手段を示す説明図、図３は同実施例に係る遊技機用セキュリティシステムにおける扉施錠手段３２の構成を示す説明図である。
【００２７】
（全体構成）
本発明の実施例に係る遊技機用セキュリティシステムは、図１に示すように、非接触個人識別タグ１と、ホストコンピュータ２と、遊技機３と、該遊技機３が設置される島４とから構成し、島４には、複数の制御装置５が内蔵されており、各制御装置５は、パチンコホールの外部にある一台のホストコンピュータ２と接続される通信回線を有している。
【００２８】
また、各制御装置５は、島４において、夫々二台の遊技機３と通信回線を介して連結するとともに、前記非接触個人識別タグ１内の情報の読取りと非接触個人識別タグ１への情報の書込みとを可能とする非接触リーダライタ装置６と、通信回線を介して連結されている。以下に、各構成要素について説明する。
【００２９】
（制御装置）
先ず本発明の実施例に係る制御装置５は、送受信器５１と鍵制御マイクロコンピュータ５０と、該送受信器５１及び鍵制御マイクロコンピュータ５０を連結する伝送路を備えたものである。ここで、鍵制御マイクロコンピュータ５０は、送受信先を判断するために設けられている。また、送受信器５１は、非接触リーダライタ装置６であるセンサコイルとの間で、暗号化された個人識別情報を送受信するためのもので、センサコイルに対して、読取用の電力を供給するとともに非接触個人識別タグ１の読取り、書込みを指示する信号を送信する。
【００３０】
（非接触個人識別タグ）
また、本発明の実施例に係る非接触個人識別タグ１は、不揮発性且つ全てのデータを書換可能なフラッシュメモリ、送受信用回路、制御回路及びアンテナを内蔵するものであり、ホストコンピュータ２によって暗号化された個人識別情報を格納している。非接触リーダライタ装置６からの電波を受信することによって発電し、前記暗号化された個人情報を応答電波として送信するものである。本実施例においては、６４ビットの暗号化データとして、パチンコ店のコード、店員コード等の個人識別情報と、データの正当性を保証するチェックコードを記録してある。
【００３１】
（非接触リーダライタ装置）
次に、本発明の実施例に係る非接触リーダライタ装置６は、前記したようにセンサコイルからなるものであり、非接触個人識別タグ１と無線により直接的にデータの送受信を行なう装置である。
【００３２】
（遊技機）
本発明の実施例に係る遊技機３には、該遊技機３の配電部扉３１の開閉を検知する扉開放検出手段３０と、遊技機配電部扉３１の扉施錠手段３２と、遊技状況を得るための遊技状況検知センサを備えている。扉開放検出手段３０と遊技状況検知センサはいずれも制御装置５における鍵制御マイクロコンピュータ５０と通信回線を介して接続されている。
また、当該遊技機３は、前記扉開放検出手段３０と、扉施錠手段３２である、配電部扉３１のロック機構が設けられている。
【００３３】
（扉開放検出手段）
本実施例に係る扉開放検出手段３０は、図２に示すように、遊技機３の配電部扉３１の裏面に固着されたスライド金具３４と、該スライド金具３４の移動を検知するマイクロスイッチと、配電部扉３１を閉状態に付勢すべく、前記スライド金具３４の側部に突設した突片と、遊技機３の内部側壁面との間に取付けられ、圧縮コイルバネ部材３５とからなる。圧縮コイルバネ部材３５は、電源オフ時に配電部扉３１が閉状態となるようにスライド金具３４に対する付勢手段として機能している。
また、スライド金具３４は、扉の開放に伴う移動によってマイクロスイッチの検知部の押込み量が変位するように広幅部と狭幅部とを形成している。マイクロスイッチは、扉の開閉を識別する信号を、制御装置５の鍵制御マイクロコンピュータ５０に送信する構成である。
【００３４】
（扉施錠手段）
また、本実施例に係る扉施錠手段３２は、図３に示すように、遊技機３の配電部扉３１の裏面に前記スライド金具３４とは別個に固着されたロック鉤爪３７と、配電部扉３１の裏面と当接し、且つ前記ロック鉤爪３７が掛止する遊技機掛止板３６と、ロック部材３８とからなる。
【００３５】
ここで、ロック部材３８は下端及に下端側軸穴（図示せず）、中央近傍に中央軸穴（図示せず）を形成しており、ソレノイド３９によって進退可能なプランジャ７０が、前記ロック部材の中央軸穴に軸止される中央軸体７２によって軸動可能な状態となり、またロック部材の下端側軸穴にも枢軸７３を備えることで、ロック部材３８全体が、プランジャ７０の進退によって起倒する構成である。ここで、中央軸体７２と中央軸穴との遊び隙間、及び枢軸７３と下端側軸穴との遊び隙間を夫々十分にとることで、ロック部材は下端側軸穴を中心として回動して起倒するにもかかわらず、プランジャの直線的な進退を許容している。
【００３６】
ロック部材３８は起立状態において、遊技機掛止板３６に掛止したロック鉤爪３７の移動を阻止して掛止状態を確保し、また、プランジャ７０によってロック部材３８が傾倒状態となることによって、ロック鉤爪３７の鉤状先端が前記遊技機掛止板３６から離脱するのに十分な移動量が確保され、扉の開放を可能とする。
【００３７】
（ホストコンピュータ）
本実施例に係るホストコンピュータ２は、ＣＰＵ、内部メモリ、外部記憶装置であるハードディスク２０を備え、出力機器としてディスプレイ、プリンタを接続するとともに、外部への電気通信回線を備えたものである。前記ハードディスク２０には、照合用の個人識別情報と、個人毎に解錠権限を許可する期間、時間帯を定める解錠権限付与データが格納され、更に、個人識別情報を暗号化するためのアプリケーション及び電子メールを外部へ送信するためのアプリケーションが使用可能な状態で記録されている。
また、本実施例に係るホストコンピュータ２の一連の制御プログラムは、ハードウェアライセンスキーを使用してのみ、設定の変更やデータの閲覧を可能としている。
【００３８】
（監視カメラ）
また本実施例に係るホストコンピュータ２は、ホール内に設けた監視カメラ８と接続している。監視カメラ８は各遊技機３近傍における最適な位置及び角度を記憶して回動する。
ホストコンピュータ２が、非接触個人識別タグ１から得られる暗号化データを復号化し、個人識別情報の正当性を示すデータとホストコンピュータ２内の複製元のデータとを照合してデータの正当性を識別し、扉開放検出手段３０から送信される扉開放信号と、前記複合化された個人識別情報と、ホストコンピュータ２内に蓄積された個人識別情報リストとを照合して認証作業を行なうが、当該複合化された個人識別情報と、ホストコンピュータ２内に蓄積された個人識別情報リストと一致しない場合には、前記監視カメラ８に対して、ホストコンピュータ２は、扉開放検出手段３０における扉開放検出センサの番号を参照して、ホストコンピュータ２内に格納された問題の生じた遊技機３の座標データを監視カメラ８へ送信する。監視カメラ８は当該座標に従い、問題となる遊技機３の近傍を撮影する。尚、座標データは通常暗号化されており、使用の都度復号化される。
（システムの動作について）
以下、本発明に係る遊戯機用セキュリティシステムにおいて、不正行為が発生した場合の動作について説明する。
【００３９】
店員が非接触個人識別タグ１を、非接触リーダライタ装置６に近づけることにより、当該非接触個人識別タグ１に格納されたパチンコ店のコード、店員コード等の個人識別情報、及びデータの正当性を保証するチェックコードの暗号化データ（以下、単に、暗号化データという。）が、非接触リーダライタ装置６へ送信される。
【００４０】
送信された暗号化データは、制御装置５における送受信器５１を介して、鍵制御マイクロコンピュータ５０へ伝送され、更に、当該暗号化データは通信回線を介してホストコンピュータ２に送信される。
【００４１】
ホストコンピュータ２は、受信した暗号化データを復号化し、個人識別情報であるパチンコ店のコード、店員コード、当該店員の権限の有無（有効か無効か）等及び該個人識別情報の正当性を保証するデータであるチェックコードを得る。
【００４２】
次いで当該ホストコンピュータ２は、予め蓄積したチェックコードと復号化したチェックコードとを比較して一致するか否かを確認する。当該チェックコードが一致することでデータの正当性を確認し、パチンコ店のコードが当該店舗のものであること、店員の権限があることを、同様にホストコンピュータ２内に予め蓄積されたデータと照合して、一致するかを確認する。
【００４３】
上記チェックコードが一致すること、パチンコ店のコードが当該店舗のコードであること、店員の権限があることの全てが確認できたことによって、扉開放信号を制御装置５に対して送出するとともに、そのときの時刻、店員コード、及び、ホストコンピュータ２が認識している制御装置５の管理番号を、ホストコンピュータ２内のハードディスク２０に、暗号化して格納する。
【００４４】
ホストコンピュータ２から扉開放信号を受けた制御装置５は、遊技機３のソレノイド３９に電圧をかけることで、プランジャ７０を動作させ、プランジャ７０に軸止され、当該プランジャ７０に連動して起倒可能となるロック部材３８を傾倒状態として、ロック鉤爪３７の遊技機係止板との係止状態を解除可能とする。
【００４５】
配電部扉３１の開放自体は、上記ロック鉤爪３７の遊技機係止板との係止が解除可能となった状態において、手動で、ロック鉤爪３７を下方へ僅かにずらすことにより、遊技機係止板との係止状態を解除して行う。遊技機３の配電部扉３１が開放されると、当該開放された遊技機３の配電部扉３１毎に夫々設けた扉開放検知センサであるマイクロスイッチ７１によって、当該遊技機３の配電部扉３１の開放を検知するとともに、開放された遊技機３の配電部扉３１の扉番号データが制御装置５からホストコンピュータ２へ送信される。
また、マイクロスイッチ７１が開放を検知した時点から制御装置５に具備させたタイマー機能により、設定時間後に制御装置５からロック部材３８をロック状態へ復帰させる。
【００４６】
ホストコンピュータ２は、開放された遊技機３の配電部扉３１の扉番号データを受信すると、当該受信時刻を暗号化してホストコンピュータ２のハードディスク２０に記録する。
【００４７】
そして、遊技機３に設けられた遊技状況検知センサ３３は、制御装置５における鍵制御マイクロコンピュータ５０と通信回線を介して接続されており、当該遊技機３において入賞が発生すると、当該制御装置５を介して、ホストコンピュータ２に入賞発生のデータを送信する。ホストコンピュータ２は当該入賞発生のデータを暗号化して当該ホストコンピュータ２のハードディスク２０に記録する。
【００４８】
ホストコンピュータ２は、前記開放された遊技機３の配電部扉３１の扉番号データとその受信時刻、個人識別情報、及び、前記入賞発生データとその受信時刻とを必要に応じて復号化して照合し、不正行為を行なった可能性の高い個人及び遊戯機の特定を行なう。
【００４９】
不正行為を行なった可能性の高い個人及び遊戯機を示すデータは、ホストコンピュータ２から外部への電気通信回線９を通じて、電子メールにより経営者宛てに送信される。電子メール送信には、ＰＧＰ、Ｓ／ＭＩＭＥ等の暗号化メールを利用することもできる。
【００５０】
一方、開放された遊技機３の配電部扉３１が施錠されていないことをホストコンピュータ２で判断した場合には、当該ホストコンピュータ２から、当該ホストコンピュータ２に接続された警報機に対して警報信号を送信する。
【００５１】
尚、チェックコードは、データごとに作成することもできるし、複数のデータを格納したフォルダ（若しくはデータ群）に対して作成することもできる。
【００５２】
また、警報機は実施例に開示したように、ホストコンピュータ２に直接接続することもできるし、制御装置５に接続することもできる。
【００５３】
更に、各遊技機３における入賞発生時の入賞発生データ採取に代えて、稼働時間全てにおけるログを採取することもできる。
【００５４】
また、ホストコンピュータ２は非常に機密性の高いデータを格納するため、適宜、入退出管理システムや指紋、声紋、虹彩等を識別手段とするバイオメトリクス認証装置等を付加することもできる。
【００５５】
一方、外部からホストコンピュータ２へのインターネット環境での閲覧、設定変更を認める場合には、ホストコンピュータ２若しくは該ホストコンピュータ２に接続される外部への電気通信回線には、ファイアウォールやＩＤＳ（不正侵入検知システム）等の不正アクセス防止手段を講じたり、ＶＰＮ（Ｖｉｒｔｕａｌ  Ｐｒｉｖａｔｅ  Ｎｅｔｗｏｒｋ）、ＳＳＬ（Ｓｅｃｕｒｅ  Ｓｏｃｋｅｔ  Ｌａｙｅｒ）、コールバック、認証サーバを介したリモートアクセスサーバの利用等の種々のセキュリティの確保、向上手段を用いることで、よりセキュリティの高い環境で、経営者の利便性を向上させることができる。
【００５６】
尚、上記実施例においては、扉開放検出手段３０と扉施錠手段３２はいずれも配電部扉３１に取付けられているが、例えば、これらの機構を統合して、実施例における扉施錠手段３２のプランジャ７０に広幅部と該広幅部から徐々に幅狭となる狭幅部とを形成して、当該プランジャ７０の進退をマイクロスイッチの押込み量の差で検知する構成とすることもできる。
【図面の簡単な説明】
【図１】本発明の実施例に係る遊技機用セキュリティシステムの全体構成を示す説明図である。
【図２】本発明の実施例に係る遊技機用セキュリティシステムにおける制御装置を示す説明図である。
【図３】本発明の実施例に係る遊技機用セキュリティシステムにおける扉開放検出手段を示す説明図である。
【符号の説明】
１      非接触個人識別タグ
２      ホストコンピュータ
２０    ハードディスク
３      遊技機
３０    扉開放検出手段
３１    配電部扉
３２    扉施錠手段
３３    遊技状況検知センサ
３４    スライド金具
３５    圧縮コイルバネ
３６    遊技機掛止板
３７    ロック鉤爪
３８    ロック部材
３９    ソレノイド
４      島
５      制御装置
５０    鍵制御マイクロコンピュータ
５１    送受信器
６      非接触リーダライタ装置
７０    プランジャ
７１    マイクロスイッチ
７２    中央軸体
７３    枢軸
８      監視カメラ
９      電気通信回線
【図１】
2004337428.tif 000003
【図２】
2004337428.tif 000004
【図３】
2004337428.tif 000005